(57)【特許請求の範囲】
【請求項１】
下記の組成式を有するトリグリセリドの混合物を含む、５乃至７５重量パーセントのマトリクス構築成分であって、
【化１】
0005537795.tif 000013
前記混合物内の少なくとも５０重量パーセントの前記トリグリセリドは、１４個乃至２４個の炭素原子を有する長鎖飽和脂肪酸残基として、Ｒ1、Ｒ2、およびＲ3基のうちの２つを有するトリグリセリドで、末端グリセロール位置よりも、隣接するグリセロール位置に長鎖飽和脂肪酸残基を有するトリグリセリドを多く含む、マトリクス構築成分と、
２５乃至９５重量パーセントの可食性液体油と、
を含む、脂質組成物であって、
前記マトリクス構築成分は、７０°Ｆ（２１℃）乃至８０°Ｆ（２７℃）の温度にて、０．０５乃至６０パーセントの前記脂質組成物の固形脂肪含量を形成するのに効果的である、
脂質組成物。
【請求項２】
前記脂質組成物は、基本的にトランス型不飽和脂肪酸を含まない、請求項１に記載の脂質組成物。
【請求項３】
前記脂質組成物は、１００°Ｆ（３８℃）以上の温度にて、２パーセント未満の固形脂肪含量を有する、請求項２に記載の脂質組成物。
【請求項４】
長鎖飽和脂肪酸残基としてＲ1、Ｒ2、およびＲ3基のうちの２つを有する前記トリグリセリドは、６０乃至９５パーセントが、隣接するグリセロール位置に長鎖飽和脂肪酸残基を有する、請求項１に記載の脂質組成物。
【請求項５】
長鎖飽和脂肪酸残基としてＲ1、Ｒ2、およびＲ3基のうちの２つを有する前記トリグリセリドは、５乃至４０パーセントが、末端グリセロール位置に長鎖飽和脂肪酸残基を有する、請求項４に記載の脂質組成物。
【請求項６】
前記Ｒ1、Ｒ2、およびＲ3基の他方は、２個乃至４個の炭素原子を有する短鎖脂肪酸残基、または６個乃至１２個の炭素原子を有する中鎖脂肪酸残基から選択される、請求項１に記載の脂質組成物。
【請求項７】
前記脂質組成物は、２２乃至５０パーセントの前記マトリクス構築成分を有し、前記脂質組成物は、７０°Ｆ（２１℃）乃至８０°Ｆ（２７℃）にて、１乃至４０パーセントの固形脂肪含量を有する、請求項６に記載の脂質組成物。
【請求項８】
前記可食性液体油は、大豆油、オリーブ油、コーン油、パーム油、パーム核油、菜種油、綿実油、カノーラ油、ベニバナ油、ヒマワリ油、高オレイン酸油、低リノレン酸油、およびそれらの混合物から成る群から選択される、請求項１に記載の脂質組成物。
【請求項９】
前記マトリクス構築成分は、パルミチン酸残基と、ステアリン酸残基との混合物を含む、請求項１に記載の脂質組成物。
【請求項１０】
前記マトリクス構築成分は、パルミチン酸残基よりも、ステアリン酸塩残基を多く含む、請求項９に記載の脂質組成物。
【請求項１１】
長鎖飽和脂肪酸残基としてＲ1、Ｒ2、およびＲ3基のうちの２つを有する前記トリグリセリドは、４０乃至９５パーセントのステアリン酸塩を含む、請求項１０に記載の脂質組成物。
【請求項１２】
前記マトリクス構築成分は、ジグリセリドの混合物を含み、前記混合物内の少なくとも２０重量パーセントの前記ジグリセリドは、長鎖飽和脂肪酸残基としてＲ1、Ｒ2、およびＲ3基のうちの２つを有する、請求項２に記載の脂質組成物。
【請求項１３】
前記マトリクス構築成分は、隣接するグリセロール位置よりも、末端グリセロール位置に、長鎖飽和脂肪酸残基を有するトリグリセリドを多く含む、請求項１２に記載の脂質組成物。
【請求項１４】
少なくとも５６パーセントの１，２−ステアロイル−３−ブチリル−グリセロールを含む、１３乃至５０パーセントのトリグリセリド混合物と、
５０乃至８７パーセントの可食性液体油と、
を含む、脂質組成物であって、
前記脂質組成物は、７０°Ｆ（２１℃）乃至８０°Ｆ（２７℃）の温度にて、０．１乃至３８パーセントの固形脂肪含量を有し、前記脂質組成物は、１００°Ｆ（３８℃）以上の温度にて、２パーセント未満の固形脂肪含量を有する、
脂質組成物。
【請求項１５】
前記トリグリセリド混合物は、少なくとも２８パーセントの１，３−ステアロイル−２−ブチリル−グリセロールを含む、請求項１４に記載の脂質組成物。
【請求項１６】
前記脂質組成物は、基本的にトランス型不飽和脂肪酸を含まない、請求項１４に記載の脂質組成物。
【請求項１７】
前記可食性液体油は、大豆油、オリーブ油、コーン油、パーム油、パーム核油、菜種油、綿実油、カノーラ油、ベニバナ油、ヒマワリ油、高オレイン酸油、低リノレン酸油、およびそれらの混合物から成る群から選択される、請求項１４に記載の脂質組成物。
【請求項１８】
少なくとも２０パーセントのジ−ステアロイル−グリセロールを含む、５乃至２０パーセントのジグリセリドの混合物と、
８０乃至９５パーセントの可食性液体油と、
を含む、脂質組成物であって、
前記脂質組成物は、７０°Ｆ（２１℃）乃至８０°Ｆ（２７℃）の温度にて、５乃至２２パーセントの固形脂肪含量を有し、
前記脂質組成物は、１００°Ｆ（３８℃）の温度にて、１５パーセント未満の固形脂肪含量を有する、
脂質組成物。
【請求項１９】
前記ジグリセリドの混合物は、少なくとも５０パーセントの１，３−ステアロイル−グリセロールを含む、請求項１８に記載の脂質組成物。
【請求項２０】
前記ジグリセリドの混合物は、少なくとも３０パーセントの１，２−ステアロイル−グリセロールを含む、請求項１９に記載の脂質組成物。
【請求項２１】
前記脂質組成物は、基本的にトランス型不飽和脂肪酸を含まない、請求項２０に記載の脂質組成物。
【請求項２２】
前記可食性液体油は、大豆油、オリーブ油、コーン油、パーム油、パーム核油、菜種油、綿実油、カノーラ油、ベニバナ油、ヒマワリ油、高オレイン酸油、低リノレン酸油、およびそれらの混合物から成る群から選択される、請求項１８に記載の脂質組成物。
【発明の詳細な説明】
【技術分野】
【０００１】
本発明は、概して、ショートニングおよび固形脂肪に関し、より具体的には、トランス型不飽和脂肪酸を減じた、または基本的に含まない構造化脂質を組み込んだショートニングおよび固形脂肪に関する。
【背景技術】
【０００２】
食物脂肪は、全ての栄養分のうち最も濃縮されたエネルギー源のうちの１つであり、一般的に約９ｋｃａｌ／ｇを供給するが、これは通常、食事性炭水化物またはタンパク質のいずれかによって供給されるカロリー含量を上回る。脂肪は、大部分の食品香料が脂溶性であるので、食品の嗜好性および風味に寄与し、また、高脂肪食品は、主にタンパク質および炭水化物を含有する食品よりも長い期間胃の中に留まるので、満腹度にも寄与する。さらに、脂肪は、脂溶性のビタミンＡ、Ｄ、ＥおよびＫ、ならびに必須脂肪酸の担体であり、成長および多数の身体機能の維持に重要であることが示されている。主な研究努力では、カロリー含量を減じて、脂肪と同等の機能的および官能的特性を提供するが、合成物であると容易に考えられることのない、食品物質を生成する方法に焦点が当てられている。
【０００３】
天然脂肪は、幅広い機能性を有し、ヒトの消化プロセスによって異なる方法で処理される。ショートニングは、脂肪の一種であり、概して、室温において高固形脂肪含量であり、特定の口あたりおよび官能特性を提供するように所望の融解プロファイルを有する。しかし、このような脂肪はまた、体内で消化および吸収される形態のトランス型不飽和脂肪酸または飽和脂肪酸を含有する場合もある。このような脂肪酸は、ここ数年、健康上の懸念に挙げられているが、このような脂肪は、概して、所望の固形脂肪含量および融解プロファイルを提供するために、ショートニングに必要なものである。
【０００４】
従来の脂肪および油は、因習的に、部分的な水素化に依存して、固体の機能性を油に与えていた。しかし、この手法では、有意なレベルの不要なトランス型不飽和脂肪酸（ＴＦＡ）を含有する油がもたらされる。例えば、代表的なショートニングを形成するには、液体の植物油を部分的に水素化して、ショートニングに好適な形態に油を転換して所望の機能性（ショートニングに好適な硬さおよび融解プロファイル）を生じさせる。しかし、この部分的な水素化処理は、シス配向によって油内の一部の不飽和脂肪酸が好ましくないトランス配向に転換されうる。
【０００５】
ここ数年のデータでは、種々の健康上の懸念にトランス型不飽和脂肪酸および一部の飽和脂肪酸を挙げている。高コレステロールはそのような健康上の懸念の１つであり、少なくとも部分的には、高レベルのこのような脂肪酸を含む食事によって生じ得る。例えば、現在では、トランス脂肪酸の消費が、ＬＤＬ（Ｌｏｗ−Ｄｅｎｓｉｔｙ  Ｌｉｐｏｐｒｏｔｅｉｎ）、すなわち「悪玉」コレステロールレベルの増加に寄与し、冠状動脈性心臓病のリスクを増加させる場合があると認められている。数多くの証拠が、いくつかの個体において、高コレステロールが、心臓発作、脳卒中、および他の組織傷害のリスクの増加に寄与する場合があることをさらに示唆している。したがって、食品のトランス脂肪酸の量を最小限に抑えたいという要望が存在する。ＦＤＡ（Ｆｏｏｄ  ａｎｄ  Ｄｒｕｇ  Ａｄｍｉｎｉｓｔｒａｔｉｏｎ：米国食費員医薬品局）のガイドラインでは、食品または脂肪が、サービングあたり０．５グラム未満のトランス脂肪酸を含有している場合は、トランス脂肪酸を含まないものとして記載することができる。サンドイッチクッキーのような代表的な焼きスナック食品において、このようなレベルを達成するには、特定の成分油内のトランス脂肪酸を、約３乃至７パーセントをかなり下回るように保持しなければならない。このようなレベルは、十分な固形脂肪含量および望ましい官能特性を有する機能性ショートニングおよびフィラー脂肪の調製における課題を提示している。
【０００６】
ここ数年、種々の食品の脂肪含量およびトランス脂肪酸含量を減じるための数多くの取り組みが成されてきている。しかし、従来の食品内の脂肪レベルおよび／またはトランス脂肪酸レベルを減じると、官能および／または機能特性も悪影響を受ける場合がある。例えば、トランス脂肪酸のレベルを減じると、硬さおよび固形脂肪含量を変化させ、脂肪が所望の機能性を呈しないようになる。他の場合では、脂肪含量を低レベルに減じると、食品内に懸濁された脂肪粒子によって与えられる油性および／または滑らかさ（すなわち口あたり）が、事実上失われる。加えて、濃厚さおよびクリーミーさのような他の口あたりおよびテクスチャ特性も、このような脂肪の除去または低減によって悪影響を受ける場合がある。さらに、脂質位相と水相との間の風味分子の分布が変化させられるので、風味特性が悪影響を受ける場合がある。その結果、このような低脂肪食品は、それらの口あたり、風味、および／または官能特性のため、消費者にアピールできない場合がある。
【０００７】
特許文献１および特許文献２には、長鎖飽和および不飽和脂肪酸を有するジグリセリドおよびトリグリセリドを含む脂肪混合物が記載されている。しかし、特許文献１および特許文献２の組成物は、比較的高い量の完全飽和の長鎖脂肪酸（Ｃ１２―Ｃ２４）を有する。完全飽和の長鎖脂肪酸ジグリセリドおよびトリグリセリドは、比較的高い融点を有する（一般的に、７０乃至７７℃）。このような比較的高融点の脂肪組成物は、特に組み込みに対して完全な融解が必要とされる場合に、概して食品への組み込みがより困難である。特許文献１および特許文献２の開示では、それでも、別のジグリセリドまたはトリグリセリドのような別の脂肪成分と組み合わせれば、比較的高融点のジグリセリドを食品に組み込むことができると述べている。しかし、これらの参考文献は、そのジグリセリド、または、脂肪酸をどのようにグリセロール主鎖上に配置すれば、脂肪混合物の特性に影響を及ぼすのかは開示していない。これらの参考文献は、ジグリセリド内の残基の配置はあまり重要でないことしか示しておらず、トリグリセリド内の脂肪酸の配置については開示していない。
【０００８】
その結果、ショートニングまたはフィラー脂肪として用いることができるが、大幅に量を減じたトランス型不飽和脂肪酸と、低レベルの飽和脂肪酸、好ましくは低レベルの生物学的に利用可能な飽和脂肪酸とを有し、低カロリー含量である、機能的な脂肪組成物を提供したいという要望が存在する。
【０００９】
【特許文献１】米国特許第５，８７９，７３５号明細書
【特許文献２】米国特許第５，９１２，０４２号明細書
【非特許文献１】Ｔｒｅａｄｗｅｌｌ、Ｒ．Ｍ．Ｊｏｕｒｎａｌ  ｏｆ  Ｎｕｔｒｉｔｉｏｎ、Ｖ１３２、ｐｐ．３３５６−３３６２（２００２）
【非特許文献２】Ｄｒｅｈｅｒ、Ｎｕｔｒｉｔｉｏｎ  Ｔｏｄａｙ、３３：１６４−１７０（１９９８）
【非特許文献３】Ｆｉｎｌｅｙ、「Ｇｒｏｗｔｈ  Ｍｅｔｈｏｄ  ｆｏｒ  Ｅｓｔｉｍａｔｉｎｇ  ｔｈｅ  Ｃａｌｏｒｉｃ  Ａｖａｉｌａｂｉｌｉｔｙ  ｏｆ  Ｆａｔｓ  ａｎｄ  Ｏｉｌｓ」、Ｊ，Ａｇｒｉｃ，Ｆｏｏｄ  Ｃｈｅｍ，Ｖｏｌ．４２、４８９−４９４（１９９４)
【発明の開示】
【発明が解決しようとする課題】
【００１０】
代表的なショートニングまたはフィラー脂肪の機能性を呈する脂質組成物が提供されるが、トランス型不飽和脂肪酸量を減らし、または基本的に含まず、生物学的に利用可能な飽和脂肪酸のレベルを低くして、それが達成される。本願明細書の脂質組成物の実施形態は、ショートニングおよびフィラー脂肪用途のための機能性を提供するのに十分な固形脂肪含量を有する、周囲温度にて、固体、可塑的、または塗り広げることができるマトリクスを形成することが好ましい。加えて、同脂肪組成物はまた、約体温以上にて、固形脂肪を最低限しか含まずに、または全く含まずに、消費時の蝋のような口あたりまたは他の望ましくない特性を減じる、融解プロファイルを有する。また開示された脂質組成物は、消化中に吸収されにくい構造物を有するか、またはそのような構造物に加水分解されるように構成することによって、カロリーエネルギーの低減に寄与することも好ましい。脂質組成物は、（１）食用油で希釈したトリグリセリドおよび／またはジグリセリドのマトリクス構築成分か、または（２）基本的に油で希釈されず、機能マトリクスの形成に十分な量の飽和脂肪酸を有するマトリクス構築成分のいずれかを含むことが好ましい。いずれの場合においても、マトリクス構築成分は、グリセロール部分上の酸性基の含量および／または配置を調整した、グリセロールベースの脂質を含む。酸性基の含量および／または配置を調整することで、組成物の融解プロファイルおよび消化中に吸収される能力に影響を及ぼすことができる。
【課題を解決するための手段】
【００１１】
１つの手法によれば、本願明細書の機能性脂質組成物は、その組成物が、概ね上述したような特性を有する機能性脂質組成物となるような割合で、マトリクス構築成分と可食性の液体油希釈剤との混合物を含む。本形態では、脂質組成物は、約５乃至約７５重量パーセント（好ましくは約１３乃至約５０パーセント、より好ましくは約２２乃至約５０パーセント）のマトリクス構築成分と、約２５乃至約９５重量パーセント（好ましくは約５０乃至約８７パーセント、より好ましくは約５０乃至約７８パーセント）の液体油希釈剤とを有する。このような組成物は、概して、周囲または室温にて、約０．０５乃至約６０パーセント（好ましくは約０．１乃至約４５パーセント、より好ましくは約１乃至約４５パーセント）の固形脂肪含量と、約１００°Ｆ（約３８℃）以上にて、約１０パーセント未満（好ましく約２パーセント未満、より好ましくはほぼ０パーセント）の固形脂肪含量を有する。その結果、本願明細書の脂質組成物は、周囲温度にて、固体、可塑的であるか、または塗り広げることができる機能性を呈することができるが、消費時には、脂質組成物は、ほぼ体温にて概ね融解して従来のショートニングに類似した液相を形成する。本願明細書の場合、周囲温度は、約７０°Ｆ乃至約８０°Ｆ（約２１℃乃至約２７℃）を意味する。
【００１２】
可食性液体油には、室温にて液体であることが好ましい、あらゆる代表的な植物油または油混合物が挙げられる。その例には、これに限定されないが、大豆油、オリーブ油、コーン油、パーム油、パーム核油、菜種油、綿実油、カノーラ油、ベニバナ油、ヒマワリ油、高オレイン酸油、低リノレン酸油、およびそれらの混合物が挙げられる。所望の固体の機能性を費用効率が高い様態で得ることができるので、本願明細書の脂質組成物は、大豆油を用いることが好ましい。
【００１３】
マトリクス構築成分は、Ｒ1、Ｒ2、およびＲ3基を有する、下記の一般組成式（Ａ）を有するグリセロールエステルを含む構造化脂質の混合物を含む。
【００１４】
【化１】
0005537795.tif 000002
【００１５】
一形態では、マトリクス構築成分は、３つ全てのＲ基がアシルフラグメントを表すグリセロールエステルの混合物を含み、完全な構造はトリグリセリドまたはトリアシルグリセロール（ＴＡＧ）である。マトリクス構築成分内の少なくとも５０パーセントのＴＡＧは、３つのＲ基のうちの２つが、１４個乃至２４個の炭素原子を有する長鎖飽和脂肪酸残基（Ｌ）であり、残りのＲ基が、２個乃至４個の炭素原子を有する短鎖アシルフラグメント（Ｓ）、または６個乃至１２個の炭素原子を有する中鎖アシルフラグメント（Ｍ）であることが好ましい。２つの長鎖飽和脂肪酸を有するＴＡＧの約６０乃至約９５パーセントは、隣接するグリセロール位置（すなわち、Ｒ1およびＲ2、またはＲ2およびＲ3位置）に位置する２つのＬ基を有し、約５乃至約４０パーセントが、末端位置（すなわち、Ｒ1およびＲ3位置）に位置する２つのＬ基を有することが最も好ましい。２つの長鎖飽和脂肪酸を有するＴＡＧの約４０乃至約９５パーセントの長鎖飽和脂肪酸は、パルチミン酸（Ｃ１６：０）および／またはステアリン酸（Ｃ１８：０）であることがさらに好ましいが、過剰なステアリン酸を有することが最も好ましい。
【００１６】
別の形態では、マトリクス構築成分は、Ｒ基のうちの２つだけがカルボキシルまたはアシルフラグメントを表し、一方で、第３のＲ基が水酸基を表す構造化グリセロールエステルの混合物であり、完全な構造はジグリセリドまたはジアシルグリセロール（ＤＡＧ）である。この別の混合物内の少なくとも２０パーセントのＤＡＧは、３つのＲ基のうちの２つが、１４個乃至２４個の炭素原子を有する長鎖飽和脂肪酸残基（Ｌ）であることが好ましい。残りのＤＡＧ構造は、飽和長鎖脂肪酸（Ｌ）および／または不飽和長鎖脂肪酸残基（Ｕ）の組み合わせを含むことができる。２つのＬ基を有するＤＡＧの少なくとも２０パーセントは、両方の末端基（すなわち、Ｒ1およびＲ3基）に配置された、および／または末端位置（すなわち、Ｒ1またはＲ3）および中央位置（Ｒ2基）に配置された２つの長鎖飽和脂肪酸残基を有することが最も好ましい。マトリクス構築成分は、少なくとも２０パーセントの構造が、単一分子で末端グリセロール位置に位置するＬ基を有するＤＡＧを含むことがさらに好ましい。またこのようなマトリクス構築成分は、必要に応じて少量のトリグリセリド構造とともに、飽和または不飽和の長鎖脂肪酸を有する他のジグリセリドを含んで、必要に応じて混合物の融点を下げることもできる。
【００１７】
別の手法によれば、本願明細書の機能性脂質組成物はまた、混合油を最低限しか含まない、好ましくは全く含まない、ジグリセリドまたはジアシルグリセロール（ＤＡＧ）を含むマトリクス構築成分も含むことができる。この形態では、所望の機能性を得るために、ＤＡＧマトリクス構築成分は、所望のマトリックス構造体の形成に十分なレベルの飽和脂肪酸を含む。脂質組成物が基本的に純粋なＤＡＧ混合物であるときには、少なくとも約２０パーセントの、好ましくは約２０乃至約５０パーセントの長鎖飽和脂肪酸残基（Ｌ）を有することが好ましい。混合物内の残りの脂肪酸残基は、長鎖不飽和脂肪酸（Ｕ）であることが好ましい。概して、脂肪酸残基（Ｌ）は、パルチミン酸（Ｃ１６：０）および／またはステアリン酸（Ｃ１８：０）であることが好ましく、過剰なステアリン酸を有することがより好ましい。この形態では、脂質組成物は、概して、周囲温度にて、少なくとも約６パーセント、好ましくは約６パーセント乃至約４５パーセントの固形脂肪含量を呈し、概して、約１００°Ｆ（約３８℃）以上にて、約１７パーセント未満、好ましくは約１０パーセント未満の固形脂肪含量を呈する。
【発明を実施するための最良の形態】
【００１８】
代表的なショートニングまたはフィラー脂肪の機能性を呈する脂質組成物が提供されるが、トランス型不飽和脂肪酸量を減らし、または基本的に含まず、生物学的に利用可能な飽和脂肪酸のレベルを低くして、それが達成される。本願明細書の脂質組成物は、脂質組成物が、構造化脂質または構造化グリセロールエステルを用いることによって強化することができるという発見に基づくものであり、これらは、脂肪酸含量およびグリセロール主鎖に対する位置の制御をした、トリグリセリドとジグリセリドとの合成によって得られた脂質組成物である。本願明細書の場合、構造化脂質または構造化グリセロールエステルは、グリセロール部分上の酸性基の含量および／または配置を調整した、あらゆるグリセロールベースの脂質を指す。
【００１９】
本願明細書の脂質組成物の実施形態は、周囲室温にて、従来のショートニングまたはフィラー脂肪としての用途のための適切な機能性を与える固形脂肪含量によって、固体、可塑的であるか、または塗り広げることができる小結晶子のマトリクスを形成することが好ましい。加えて、同脂肪組成物はまた、約体温以上にて、固形脂肪を最低限しか含まずに、または全く含まずに、消費時の蝋のような口あたりまたは他の望ましくない特性を減じる、融解プロファイルを有する。また本願明細書の脂肪組成物は、消化中に吸収されにくい構造を有するか、またはそのような構造物に加水分解されるように構成することによって、カロリーエネルギーのレベルの大幅な低減に寄与することも好ましい。脂質組成物は、（１）食用油で希釈したトリグリセリドおよび／またはジグリセリドのマトリクス構築成分か、または（２）基本的に油で希釈されず、機能マトリクスの形成に十分な量の飽和脂肪酸を有するマトリクス構築成分のいずれかを含むことが好ましい。
【００２０】
本願明細書において、油に対する脂肪の比率、固形脂肪の割合、または固形脂肪含量（ＳＦＣ）は、特定の脂質組成物の位相成分の特徴づけを意図したものである。例えば、特定の温度にて、脂肪は固体であり、油は液体である。しかし、所与の脂質の脂肪／油の比率は、一定ではなく、温度の関数である。すなわち、例えばバターは、０℃にて主に固形脂肪（約７０パーセントの脂肪）としてみなすことができるが、室温にて可塑的になり、約４０℃より高くなると完全に液体である。同様に、本願明細書において、機能性または機能性脂質も、本願明細書に記載した脂質組成物を意味することを意図したものであり、組成物が、周囲温度または周囲温度付近にて、固体のショートニングまたはフィラー脂肪の特性（すなわち、固体、可塑的、または塗り広げることができる）を有するような、固形脂肪含量を示す。本願明細書の場合、周囲温度は、約７０°Ｆ乃至約８０°Ｆ（約２１℃乃至約２７℃）を意味する。また、本願明細書において、長鎖飽和脂肪酸残基（Ｌ）は、１４個乃至２４個の炭素原子を有する炭素鎖を意味し、中鎖飽和脂肪酸残基（Ｍ）は、６個乃至１２個の炭素原子を有する炭素鎖を意味し、短鎖飽和脂肪酸残基（Ｓ）は、２個乃至４個の炭素原子を有する炭素鎖を意味し、長鎖不飽和脂肪酸残基（Ｕ）は、少なくとも１つの炭素−炭素二重結合を有する１４個乃至２４個の炭素原子を有する炭素鎖を意味する。
【００２１】
下記に詳述するように、本願明細書の脂肪組成物は、それらの所望の機能性を達成するための、高レベルの飽和脂肪酸および／またはトランス型不飽和脂肪酸を有する従来のショートニング、ハードストックトリグリセリド、およびフィラー脂肪に優る、複数の利点を含む。例えば、本願明細書において提供される機能性組成物は、含まれるトランス型不飽和脂肪酸（ＴＦＡ）が無視できる量であり、好ましくは基本的にこれを全く含まず、従来の油と比較して、カロリー含量が少ない（すなわち、概して、約４乃至７ｋｃａｌ／ｇの生物学的に利用可能なエネルギー）トリグリセリドおよび／またはジグリセリド構造を含む。一側面では、本願明細書の機能性組成物は、約７パーセント未満、好ましくは約３パーセント未満、より好ましくはほぼ０パーセントのトランス型不飽和脂肪酸を含む。概して、構造化グリセロールエステルの形態に起因して、本願明細書の機能性混合物はまた、飽和脂肪の吸収も低減し、また、特定の調製によるが、本混合物は、本願明細書の脂質組成物を組み込んだ、現在のＦＤＡの規定の下ではゼロトランス脂肪酸であるとのラベルを付すことができる、量を減じた（すなわち、サービングあたり０．５ｇ未満のＴＦＡ）、好ましくは基本的にゼロのトランス脂肪酸の、比較的低飽和の脂肪組成物を提供する可能性を示す。
【００２２】
理論によって制限されるものではないが、構造化脂質の天然リパーゼ代謝による副生物は、概して体温を超える温度の融点（実質的にそれらの吸収を抑える機能）を有する固体であると考えられる。したがって、開示された脂質組成物はまた、良好な消化管の許容度とともに脂肪からのカロリーの低減も提供する。マトリクス構築成分に用いられる好適な構造化グリセリドは、消化中に、その短鎖および／または中鎖酸に対して、選択的な加水分解を受け、体温にて固体である１，２−ジグリセリド残基が残るので、吸収されにくい。別様には、構造化ジグリセリドから形成したマトリクス構築成分はまた、吸収を減じ、脂肪からの全カロリーを減じる、脂肪酸エステルも生成する。例えば、好適な構造化ジグリセリドは、再合成および脂肪の蓄積には概して利用できない、１−モノグリセリドが残る加水分解を受けることができる、と考えられる。
【００２３】
加えて、構造化脂質の柔軟性によって、所望の機能性および用途（例、室温にて、塗り広げることができる、固体である、可塑的である）に応じて、可変レベルのマトリクス固形物（固形脂肪含量）を有する脂質混合物を構成する能力を可能にする。この点に関して、結晶化およびマトリクス形成の速度は、マトリクス構築成分内の脂肪酸成分の混合物および／または食用油の比率に基づいて、最適化または変化させることができる。さらに、脂質混合物は、室温にて所望の機能性を提供する一方で、基本的に低温で融解して、あらゆる蝋のような、または他の望ましくない口当たりを最小限に抑えること、好ましくは排除することが好ましい。したがって、本脂質混合物を組み込んだ食品材料を消費する個人は、従来のショートニングおよびフィラー脂肪に類似した口あたりを感じる。これを受けて、本願明細書の脂質混合物は、これに限定されないが、甘いか塩味の焼いた物（すなわち、クッキーまたはクラッカ）、スナックバー、ドーナツ、ペーストリー、ケーキ、パイ、ピザ、加工肉、チーズ類似食品、アイスクリーム類似食品等のような、加工食品の調製における使用に対して十分に柔軟性を有する。本脂質混合物は、概して、テクスチャ、処理、生成物安定性、および／または種々の他の消費者が望む特性を提供する。
【００２４】
１つの手法によれば、開示された脂質組成物は、脂質組成物が、概ね上述したような機能性脂質組成物となるような割合で、マトリクス構築成分と可食性の液体油希釈剤との混合物を含む。一形態では、脂質組成物は、約５乃至約７５重量パーセント（好ましくは約１３乃至約５０パーセント、より好ましくは約２２乃至約５０重量パーセント）のマトリクス構築成分と、約２５乃至約９５重量パーセント（好ましくは約５０乃至約８７重量パーセント、より好ましくは約５０乃至約７８重量パーセント）の液体油希釈剤とを有する。このような組成物は、概して、周囲または室温にて、約０．０５乃至約６０パーセント（好ましくは約０．１乃至約４５パーセント、より好ましくは約１乃至約４５パーセント）の固形脂肪含量と、約１００°Ｆ（約３８℃）以上にて、約１０パーセント未満（好ましく約２パーセント未満、より好ましくはほぼ０パーセント）の固形脂肪含量を有する、固体マトリクスを形成する。その結果、本願明細書の脂質組成物は、周囲温度にて、固体、可塑的であるか、または塗り広げることができる機能性を呈することができるが、消費時には、脂質組成物は、ほぼ体温にて融解して従来のショートニングに類似した液体を形成する。
【００２５】
マトリクス構築成分を液体油と混合するか、または液体油で希釈することによって、機能性脂質組成物を批評効率が高い様態（すなわち、比較的高価なマトリクス構築成分または成分類の量を最小限に抑えることができる）で調製することができるだけでなく、組成物内の液体油によって提供される不飽和および／または多価不飽和脂肪酸の量およびタイプを選択して、特定の用途に対して調製することもできる。すなわち、例えば、本願明細書の機能性脂質は、広範囲の液体油をマトリクスに用いるのに十分に柔軟性がある。この側面では、液体油は、２〜３の例を除いて、提案する所望の機能性、経済性、および／または市況に基づいて、一般の製品、特別品、上級品から供給されることが可能である。下記にさらに述べるように、液体大豆油は、それらのコストが比較的低いので、マトリクス構築成分との混合、またはその希釈に概ね好ましいが、他の液体油および／または液体油の混合物を必要に応じて用いて、もしあれば、所望の量の飽和および不飽和脂肪酸を有する機能性脂質を構成することもできる。
【００２６】
可食性液体油には、室温にて液体であることが好ましい、あらゆる代表的な植物油または油混合物が挙げられる。その例には、これに限定されないが、大豆油、オリーブ油、コーン油、パーム油、パーム核油、菜種油、綿実油、カノーラ油、ベニバナ油、ヒマワリ油、高オレイン酸油、低リノレン酸油、およびそれらの混合物が挙げられる。所望の固体の機能性を費用効率が高い様態で得ることができるので、本願明細書の脂質組成物は、大豆油を用いることが好ましい。なお、上述のように、用途および所望の脂肪酸組成に基づいて、他の油または油混合物を用いることができる。
【００２７】
マトリクス構築成分は、下記の一般組成式（Ａ）を有するグリセロールエステルを含む構造化脂質組成物の混合物を含む。
【００２８】
【化２】
0005537795.tif 000003
【００２９】
式中、Ｒ1、Ｒ2、およびＲ3基は、カルボキシルまたはアシルフラグメント（カルボニル結合を介してグリセロール部分に結合された脂肪族部分を含む）か、またはグリセロール部分に結合した水酸基を形成する水素原子を表す。
【００３０】
特定の一形態では、マトリクス構築成分は、３つ全てのＲ基がアシルフラグメントを表すグリセロールエステルの混合物を含み、完全な構造はトリグリセリドまたはトリアシルグリセロール（ＴＡＧ）である。このような形態では、混合物内の少なくとも５０パーセントのＴＡＧは、３つのＲ基のうちの２つが、１４個乃至２４個の炭素原子を有する長鎖飽和脂肪酸残基（Ｌ）を含み、残りのＲ基が、２個乃至４個の炭素原子を有する短鎖アシルフラグメント（Ｓ）、または６個乃至１２個の炭素原子を有する中鎖アシルフラグメント（Ｍ）であることが好ましい。
【００３１】
２つの長鎖飽和脂肪酸を有するＴＡＧの約６０乃至約９５パーセントは、隣接するグリセロール位置（すなわち、Ｒ1およびＲ2、またはＲ2およびＲ3位置）に位置する２つのＬ基を有し、約５乃至約４０パーセントが、末端位置（すなわち、Ｒ1およびＲ3位置）に位置する２つのＬ基を有することが好ましい。２つの長鎖飽和脂肪酸を有するＴＡＧの約４０乃至約９５パーセントの長鎖飽和脂肪酸は、パルチミン酸（Ｃ１６：０）残基および／またはステアリン酸（Ｃ１８：０）残基であることがさらに好ましいが、過剰なステアリン酸を有することが最も好ましい。残りの第３のＲ基は、短鎖（Ｓ）または中鎖（Ｍ）の脂肪酸残基であることが好ましい。
【００３２】
このようなトリグリセリドの混合物は、塩基触媒エステル交換を経て調製して、２つの隣接するＬ基と、末端グリセロール位置（すなわち、Ｒ1またはＲ3）に１つのＳ基またはＭ基とを有する非対称的な構成を有する混合物において、最高で約３分の２のトリグリセリドを有する混合物を生成することができる。必要に応じて、混合物内の所定の割合の長鎖飽和脂肪酸を、不要な、またはより揮発性の高い脂肪酸を除去するように、以降の分留、蒸留、または他の分離法を通じて得ることができる。別様には、マトリクス構築成分に好適なトリグリセリド混合物はまた、特定の酸を所望のグリセロール位置に選択的に配置するように、リパーゼ触媒合成を用いて調製することもできる。
【００３３】
より具体的には、好適なＴＡＧマトリクス構築成分は、少なくとも約６７重量パーセントのジステアロイル−ブチリル−グリセロール（１，２−ジステアロイル−３−ブチリル−グリセロールを含む）混合物を含む。このような混合物は、トリブチリンと、完全に水素化した大豆油（すなわち、約９０パーセントステアリン酸および約１０パーセントパルミチン酸）との、ランダムな塩基触媒エステル交換によって得ることができる。より揮発性の高い脂肪酸トリグリセリドのその後の分留および蒸留によって、必要に応じて、最高で約８４重量パーセントのジステアロイル−ブチリル−グリセロールを有する、マトリクス構築成分を得ることができる。例えば、食用油と混合するための好適なＴＡＧマトリクス構築成分を調製したが、これは、約５６重量パーセントのＬＬＳトリグリセリド（すなわち、１，２−ジステアロイル−３−ブチリル−グリセロール）と、約２８重量パーセントのＬＳＬトリグリセリド（すなわち、１，３−ジステアロイル−２−ブチリル−グリセロール）と、約１６重量パーセントのＳＳＬトリグリセリド（すなわち、１，２−ジブチリル−３−ステアロイル−グリセロール）とを有する、ＴＡＧの混合物を含む。これらのトリグリセリド生成物は、ラットに与えたときに、約３．８ｋｃａｌ／ｇの生物学的に利用可能なエネルギーの供給を示している（非特許文献１）。一方で、従来の脂肪は、約９ｋｃａｌ／ｇを供給し、ＬおよびＭ基を有する対照構造は、約４．２ｋｃａｌ／ｇを供給すると予想される。
【００３４】
消化したときに、上述のＬＬＳ（またはＬＬＭ）トリグリセリドを有するマトリクス構築成分は、それらの末端Ｓ（またはＭ）基の選択的な加水分解を受けて、吸収されにくい構造を生成する。例えば、消化リパーゼを経た短鎖または中鎖の急速な加水分解は、１，２−ジステアリルグリセリドのような１，２−ジグリセリドをもたらす。このような複合物は、体温（約７７℃の融点）にて沈殿し、概してあまり吸収されない（非特許文献２）。
【００３５】
１つの手法によれば、例えば高レベルの１，２−ジステアロイル−３−ブチリル−グリセロールを含むマトリクス構築成分は、大豆油のような液体油と混合して、体温にて十分なマトリクス固形物を有するが、体温にて、またはほぼ体温にて基本的にマトリクス固形物を含まない、機能性脂質組成物を形成することができる。例えば、約５乃至約７５、好ましくは約１３乃至約５０、より好ましくは約２２乃至約５０重量パーセントのマトリクス構築成分を、液体油希釈剤（すなわち、好ましくは大豆油）と混合して、機能性脂質組成物を形成することができる。マトリクス構築成分は、２つのＬ基を有する最高で約８４パーセントのＴＡＧを含み、１，２−ジステアロイル−３−ブチリル−グリセロールとして約５６パーセントのＴＡＧを有する。この形態では、脂質組成物の混合物は、周囲温度または室温にて、約０．０５乃至約６０パーセントの固形脂肪含量、好ましくは約０．１乃至約３８パーセント、より好ましくは約１乃至約３８パーセントの固形脂肪を有するものと予想される。加えて、同脂質組成物の混合物はまた、体温以上にて、約２パーセント、好ましくは約１パーセントの脂肪含量を呈し、より好ましくは脂肪含量を呈さない。このようにして、脂質−油の混合物は、室温にて、液体油を機能性混合物に組織化するのに有用な、固体、可塑的であるか、または塗り広げられるマトリクスを形成する能力だけでなく、体温以上にて、基本的に液体の機能性を呈して、消費者による消費時の蝋のような、または不快な口当たりを最小限に抑える、好ましくは排除する能力も有する。
【００３６】
特に好適な形態では、機能性脂質は、大豆油に混合される約５０重量パーセントのマトリクス構築成分を含む。マトリクス構築成分は、約５６パーセントの１，２−ジステアロイル−３−ブチリル−グリセロールを含む。この好適な実施形態では、脂質−油の混合物は、周囲温度にて、約２２乃至約３８パーセントの固形脂肪含量を有するが、この含量は、概して、それらの機能を達成するために高い量のトランス型不飽和脂肪酸を含む、従来の部分的に水素化した野菜油よりも高い。約１００°Ｆ（約３８℃）にて、このような混合物は、約２パーセント未満の固形脂肪含量を呈し、あらゆる蝋のような口あたりを最小限に抑える。本願明細書の脂質−油の混合物、および特に、上述した約５０／５０の大豆油と１，２−ジステアロイル−３−ブチリル−グリセロールとの混合物は、トランス型不飽和脂肪酸を最低限しか含まない、好ましくは全く含まない、（周囲温度における）高固形脂肪含量を達成する。
【００３７】
別の形態では、脂質組成物は、食用油で希釈したマトリクス構築成分の混合物を含むが、このマトリクス構築成分は、Ｒ基のうちの２つだけがカルボキシルまたはアシルフラグメントを表し、一方で、第３のＲ基が水酸基を表す、構造化グリセロールエステルの混合物を含む。この形態では、マトリクス構築成分は、ジグリセリドとジアシルグリセロール（ＤＡＧ）との混合物を含む。マトリクス構築混合物内の少なくとも約２０パーセントのＤＡＧは、１４個乃至２４個の炭素原子を有する長鎖飽和脂肪酸残基（Ｌ）である、３つのＲ基のうちの２つを含むことが好ましい。
【００３８】
例えば、脂質組成物はまた、約５０乃至約９５パーセント（好ましくは約８０乃至約９５パーセント）の食用油希釈剤に混合した、約５乃至約５０（好ましくは約５乃至約２０パーセント）のＤＡＧマトリクス構築成分も含むことができる。このような脂質組成物は、所望のマトリクスおよび機能性を十分に形成し、概して、好ましい官能特性および口あたり特性を有する。より高い量のＤＡＧマトリクス構築成分は、油で希釈しても所望の機能性を提供することができるが、このような組成物は、蝋のような口当たりによって、感覚刺激的に好ましいものにはなり得ない。
【００３９】
この形態では、ＤＡＧマトリクス構築成分は、両方の末端グリセロール位置（すなわち、Ｒ1およびＲ3基）に主に配置され、末端位置（すなわち、Ｒ1またはＲ3基）および中央位置（Ｒ2基）に少量が配置された、２つの長鎖飽和脂肪酸残基を含むことが好ましい。グリセロール部分内の残りのＲ基は、ヒドロキシルである。このマトリクス構築混合物のＤＡＧの形態では、混合物はまた、Ｌおよび／またはＵ酸残基（すなわちＬＵおよび／またはＵＵジグリセリド）の組み合わせを有する、他のＤＡＧも含むことができる。これらのマトリクス構築成分は、リパーゼ触媒による合成を経て調製されて、脂肪酸を所望の位置に選択的に配置することが好ましい。しかし、これらのジグリセリドは、他の好適な手順によって形成することもできる。主に末端グリセロール位置の脂肪酸残基によって、ジグリセリドは、末端Ｌ基のうちの１つの加水分解を受けて、１−モノグリセリドを生成するが、これは、概して、再合成および脂肪の蓄積には利用できない構造である。
【００４０】
より具体的には、油に混合したＤＡＧマトリクス構築成分は、少なくとも約５０重量パーセントの１，３−ジアシルグリセロール複合物と、少なくとも３０重量パーセントの１，２−ジアシルグリセロール複合物とを有する、ジグリセリド混合物を含むことができる。マトリクス構築成分は、１，３−ジステアロイル−グリセロールおよび／または１，２ジステアロイル−グリセロールのような構造を含むことが好ましい。この形態では、脂質組成物は、周囲温度にて、約４乃至約４５パーセント、約１００°Ｆ（約３８℃）以上にて、約１乃至約３７パーセント（好ましくは約１００°Ｆ以上にて、約１０パーセント未満）の、固形脂肪含量を有する。
【００４１】
特定の一実施例では、約１０乃至約１００重量パーセントのＤＡＧ（約２０乃至約１００重量パーセントのステアリン酸および／またはパルミチン酸の組み合わせ）を、液体油に混合してマトリクス構築成分を形成することができる。約１０乃至約５０パーセントのＤＡＧ（約５０乃至約１００重量パーセントのステアリン酸およびパルミチン酸の組み合わせ）は、液体油に混合してマトリクス構築成分を形成できることが好ましい。約２０乃至約５０パーセントのステアリン酸およびオレイン酸の組み合わせを含有する、約５０乃至約１００パーセントのＤＡＧのマトリクス構築成分も同様に好ましい。この形態では、脂質−油組成物は、周囲温度にて約４パーセント、乃至周囲温度または室温にて約４５パーセントの固形脂肪含量を有するものと予想される。同時に、この組成物はまた、ほぼ体温以上にて、約３６パーセント、好ましくは約１４パーセント未満、最も好ましくは約１パーセント未満の固形脂肪含量も呈する。
【００４２】
さらに別の形態では、脂肪組成物は、基本的に油で希釈されず、上述のような機能性を提供するのに十分な量の長鎖飽和脂肪酸残基を有する、ＤＡＧ成分のマトリクス構築成分を含む。この形態では、マトリクス構築成分内に、末端グリセロール位置に主に配置される、１４個乃至２４個の炭素原子を有する２つの長鎖飽和脂肪酸残基（Ｌ）を含むＤＡＧを約２０パーセント超えて有することが好ましい。残りのジグリセリドは、長鎖飽和脂肪酸（Ｌ）および／または長鎖不飽和脂肪酸（Ｕ）を含むことが好ましい。上述の実施形態と同様に、これらのマトリクス結合成分は、リパーゼ触媒による合成を経て調製して、脂肪酸を所望の位置に選択的に配置することができる。しかし、これらのジグリセリドは、また、他の好適な手順を通じて形成することもできる。
【００４３】
より具体的には、基本的に油で希釈しなかったときに所望の機能性を形成する、好適なマトリクス構築成分は、少なくとも約６０乃至約７０パーセントの１，３―ジアシルグリセロール複合物と、少なくとも約３０乃至約４０パーセントの１，２−ジアシルグリセロール複合物とを含む。マトリクス構築成分は、１，３−ジステアロイル−グリセロールおよび／または１，２ジステアロイル−グリセロールのような構造を含むことが好ましい。ＤＡＧマトリクス構築成分は、さらに好ましくは、少なくとも約２０パーセントのパルミチン酸および／またはステアリン酸塩残基、より好ましくは約２０乃至約５０パーセントのパルミチン酸および／またはステアリン酸塩残基を含む。このような形態では、脂質組成物は、周囲温度にて、少なくとも約６パーセント、好ましくは約６乃至約４５パーセントの固形脂肪含量を有する。他の実施形態と同様に、約１００°Ｆ以上にて、この形態のマトリクス結合成分はまた、固形脂肪含量を最小限に抑える。例えば、基本的に油で希釈していないＤＡＧ成分は、約体温以上にて、約１７パーセント未満、好ましくは約１０パーセント未満、より好ましくは約２パーセント未満の固形脂肪含量を有する。
【００４４】
高い量のこのようなジアシルグリセロール複合物をマトリクス構築成分に組み込んで、概して食用油で希釈しなかったときには、比較的高い融点（すなわち、約７０乃至約７７℃）を得る可能性がある。このような高融点のマトリクス構築成分は、完全な融解が当該の使用に必要とされる場合に、食品への組み込みが複雑になる場合がある。この状況では、他のジアシルグリセロールまたはトリアシルグリセロールをマトリクス構築成分に含めて、その融点を下げることも好ましい。例えば、高レベルの長鎖飽和脂肪酸を有するＤＡＧマトリクス構築成分はまた、６個乃至１２個の炭素原子を有する中鎖脂肪酸（Ｍ）を有するか、または６個乃至１２個の炭素原子を有する短鎖脂肪酸（Ｓ）を有する、最高で約５０パーセントのジアシルグリセロールを含有することもできる。別様には、マトリクス構築成分はまた、１４個乃至２４個の炭素原子を有する、適度な量の（すなわち、最高で約５０重量パーセント）の長鎖不飽和脂肪酸（Ｕ）を含むこともできる。いずれの場合も、更なるグリセロールエステルを、必要に応じてマトリクス構築成分に加えて、それぞれの特定の用途に対して所望の融解プロファイルおよび固形脂肪プロファイルを導出する。
【００４５】
１つの手法によれば、ジアシルグリセロール（ＤＡＧ）を含むマトリクス構築成分は、グリセロールと、オレイン酸とステアリン酸との混合物とを、１，３位特異的リパーゼ触媒で反応させることによって調製して、主に末端グリセロール位置に脂肪酸を有する構造を形成することができる。必要に応じて、その後に分留および蒸留を用いて、対象となる複合物を回収することができる。この場合、分留後、形成されたマトリクス構築成分は、約２５重量パーセントのＵＵジグリセリドと、約５０重量パーセントのＵＬグリセリドと、約２５重量パーセントのＬＬグリセリドとを含み、ここで、Ｕは、１４個乃至２４個の炭素原子を有する不飽和長鎖脂肪酸であり、Ｌは、１４個乃至２４個の炭素原子を有する飽和長鎖脂肪酸である。より高い量のＬＬの形態のグリセリドは、より揮発性が高いか、または不要なジグリセリドを、その後に分留または蒸留することによって得ることができる。
【００４６】
トリグリセリドおよび／またはジグリセリド混合物を有する上述のマトリクス構築成分はまた、組成式（Ａ）以外の他の種を含有することもできる。好適な実施形態は、様々なグリセロール主鎖の鎖長、反応物質比率、および反応条件を持つ鎖酸部分の位置特異的配置を操作する特殊合成またはランダム手法を使用した、規定の生成物種を最大化または濃縮する混合物を含む。例えば、あまり望ましくないトリグリセリド種を減じる精製手法を用いることもできる。また、異臭をもたらす低分子量のトリグリセリドを除去することが望ましい。
【００４７】
好適なグリセロールエステルでは、短鎖部分（Ｓ）は、酢酸、プロピオン酸、酪酸、またはそれらの混合物から得られる。中鎖部分（Ｍ）は、カプロン酸、カプリル酸、カプリン酸、ラウリン酸、またはそれらの混合物から得られる。長鎖部分（Ｌ）は、パルチミン酸、ステアリン酸、アラキジン酸、ベヘン酸、またはそれらの混合物から得られる。長鎖部分（Ｕ）は、パルミトレイン酸、オレイル酸、バクセン酸、リノール酸、α−リノレン酸、γ−リノレン酸、ガドレイン酸、アラキドン酸、エイコサペンタエン酸、エルカ酸、ドコサヘキサエン酸、またはそれらの混合物から得られる。
【００４８】
短鎖または揮発性酸残基は、４個までの炭素を有することが好ましい。短鎖残基は、組成式Ｓ1ＣＯＯＨのカルボン酸から得られ、式中、Ｓ1は、１個乃至３個の炭素を有する短鎖脂肪族基である。本願明細書に示されるように、グリセロールエステルが、２個、３個、または４個の炭素を有する酸から得られた懸垂基を有するものとした場合、大部分が２個、３個、または４個の炭素を有する酸から得られた組成物が含まれる。酸Ｓ1ＣＯＯＨによるグリセロールヒドロキシルのアシル化は、短鎖ＳまたはＳ1の、エステル結合（−Ｏ−（ＣＯ）−）によるグリセロール主鎖への付着をもたらす。２個以上の短鎖基がグリセリドに付着した場合、その基は、同一、または異なる場合がある。本願明細書において、「酸残基」という用語は、短鎖部分、中鎖部分、長鎖部分、およびカルボニル基を含むアシル基を指す。
【００４９】
短鎖アシル基Ｓは、直鎖または分岐鎖となる場合があり、また、これに限定されないが、酢酸（エタン酸）、プロピオン酸（プロパン酸）、酪酸（ブタン酸）等を含む、あらゆる合成または天然有機酸から得ることができる。本願明細書において、化学名は、異性体変種を含む。例えば、「酪酸」は、ノルマル酪酸（ブタン酸）、イソ酪酸（２−メチルプロパン酸）等を含む。好適な酸は、酢酸、酪酸、酢酸と酪酸との混合物、酢酸とプロピオン酸との混合物、酢酸とプロピオン酸と酪酸との混合物である。
【００５０】
中鎖アシル基Ｍは、これに限定されないが、カプロン酸（ヘキサン酸）、カプリル酸（オクタン酸）、ペラルゴン酸（ノナン酸）、カプリン酸（デカン酸）、ラウリン酸（ドデカン酸）等の酸を含む、組成式Ｍ1ＣＯＯＨのあらゆる合成または天然有機中鎖脂肪酸から得られる。好適な中鎖脂肪酸は、主に（すなわち、少なくとも約７５パーセント）、好ましくは少なくとも約９０パーセントのカプリル酸、カプリン酸、またはこれらの酸の混合物を含有する。
【００５１】
不飽和長鎖のＵ基は、混合物内にも存在する。それらは、単不飽和または多価不飽和となり得る。脂肪酸を含む不飽和脂質油および脂肪酸部分を組み込んだ脂質は、特に興味深いものであり、Ｕ基の源として本発明での使用に好適なものである。これらの脂質油内の脂肪酸鎖は、直鎖か、分岐鎖か、または環状構造とすることができる。脂肪酸鎖は、直鎖型の炭化水素鎖（「直鎖」は、シスおよび／またはトランス主鎖構成を包含する）であることが好ましい。１つの手法によると、脂肪酸または脂肪酸部分を含有する脂質は、両親媒性である（すなわち、親水基と疎水基の両方を有する）。好適な不飽和脂質には、多数の容易に利用できる、長鎖脂肪酸まはその部分を含む、植物油、動物油、および魚油が挙げられる。本発明は、不飽和トリグリセリド油、多価不飽和脂肪酸油、および他の長鎖不飽和脂肪酸油の処理に特に有用である。また、ここでも、脂肪酸部分の直鎖アルキル鎖を有する脂質油が好適である。
【００５２】
不飽和長鎖アシル基Ｕは、組成式Ｕ1ＣＯＯＨ（式中、Ｕ1はＣ１５乃至Ｃ１９の不飽和基）の不飽和酸から得られる。これらの基には、これに限定されないが、パルミトレイン酸（９−ヘキサデセン酸）、オレイン酸（シス−９−オクタデカン酸）、エライジン酸（トランス−９−オクタデカン酸）、バクセン酸（トランス−１１−オクタデカン酸）、リノール酸（シス、シス−９，１２−オクタデカン酸）、リノレン酸（９，１２，１５−オクタデカトリエン酸、および６，９，１２−オクタデカトリエン酸）、エレオステアリン酸（９，１１，１３−オクタデカトリエン酸）、アラキドン酸（５，８，１１，１４−エイコサテトラエン酸）等が挙げられる。種々のＵ基（および、該当する場合は飽和長鎖基（Ｌ））は、大豆、ベニバナ、ヒマワリ、ゴマ、落花生、コーン、オリーブ、米糠、カラシ種、綿実、ケシの種、菜種、魚、メドウフォーム等の油から得られた脂肪酸の混合物か、ババスー油、パーム油、獣脂、ラード、シアバター等のような脂肪か、またはホホバ油のような植物ワックスから得ることができる。
【００５３】
トリグリセリド調製のための出発材料は、市販品から得るか、または天然源から分離することができる。別様には、成分トリグリセリドは、天然または加工した脂肪または油、あるいはそれらの画分から分離することができる。必要とされるか望ましい場合、混合物は、水蒸気脱臭、濾過、分別蒸留、および類似した精製方法を用いて精製することができる。
【００５４】
以下の実施例は、本発明を例証するために含めたものであり、限定するためのものではない。特に明記しない限り、全ての部分および割合は、重量によるものである。全ての特許、参考文献、および本願明細書で参照した出版物は、参照することにより本願明細書に組み込まれる。
【実施例】
【００５５】
実施例１
構造化グリセロールエステル組成物は、塩基触媒エステル交換を経て調製して、主として２つの長鎖飽和脂肪酸および１つの短鎖脂肪酸を有するグリセリドエステルを有するトリグリセリド混合物を形成した。この構造化脂質を生成するために、下記の表１に記載された脂肪酸成分の混合物を、触媒量のナトリウムメトキシド（約０．３パーセント）の存在下で、１２５℃で２０分間激しく撹拌してランダムにエステル交換した。得られた粗混合物を、ワイプド薄膜蒸発器によって約０．１トルで分画し、長鎖脂肪酸を１つしか持たない、より揮発性の高いトリグリセリドを除去した。蒸発器の残留物をさらに蒸留して、約８４重量パーセントの、２つの長鎖飽和脂肪酸および１つの短鎖脂肪酸を有するトリグリセロールを含有する、クリーム色の固形を生成した。得られた混合物の組成物（完全なトリアシルグリセロールを毛管高温ＧＣで測定したときのもの）を下記の表２に要約し、本願明細書の脂質組成物のためのマトリクス構築成分の一例を構成した。
【００５６】
【表１】
0005537795.tif 000004
【００５７】
【表２】
0005537795.tif 000005
【００５８】
Ｆｉｎｌｅｙの方法（非特許文献３）を用いたところ、ラットにおける給餌研究では、表２の組成物を有する生成物が、約３．８ｋｃａｌ／ｇの生物学的に利用可能なエネルギーを供給したことを示した。同様の長鎖および中鎖脂肪酸補足物を有する非構造化組成物では、約４．２ｋｃａｌ／ｇの生物学的に利用可能なエネルギーを供給すると推定される。理論によって制限されるものではないが、生物学的に利用可能なエネルギーの減少は、支配的なＳＧＥ形態（ＬＬＳおよび／またはＬＬＭ）によるステアリン酸およびパルチミン酸の不十分な吸収の結果であると考えられる。
【００５９】
実施例２
実施例１にて調製した構造化脂質組成物を、表３に記載される様々な量の大豆油（ＡＣ  Ｈｕｍｋｏ社製）と混合した。次いで、混合物を電子レンジ内で融解して透明な液体を生成した。この試料は、ＡＯＣＳ（Ａｍｅｒｉｃａｎ  Ｏｉｌ  Ｃｈｅｍｓｉｔｓ’  Ｓｏｃｉｅｔｙ：米国油化学会）の公定法Ｃｄ  １６ｂ−９３に基づいて、パルスＮＭＲによって分析して、異なる温度における平衡固形または固形脂肪含量を測定した。結果を表３に示す。比較のため、種々のレベルのトランス型不飽和脂肪酸を有する次の２つの対照油の試験も行った。（１）約４２乃至約４５パーセントのトランス型不飽和脂肪酸および約２０パーセントの飽和脂肪酸を有する、Ｓｏｙ  Ｓｐｒａｙ２油（ＳＳ２）（ＡＤＭ社）、および（２）約７８パーセントの大豆油と、約８パーセント未満のトランス型不飽和脂肪酸を有する約２２パーセントの部分的に水素化した綿実油とを有する、ＬＴＢ−１油（Ｋｒａｆｔ  Ｆｏｏｄｓ社）。
【００６０】
【表３】
0005537795.tif 000006
【００６１】
所望の固形機能性に基づいて、試験油試料番号３および４は、概して、周囲温度（約２１℃乃至約２７℃、約７０°Ｆ乃至約８０°Ｆ）にて、高ＴＦＡ対照のものと同じか、またはそれ以上の固形脂肪含量であったが、約３８℃（約１００°Ｆ）のほぼ体温にて、依然として同レベルの固形脂肪含量であった。
【００６２】
実施例３
実施例３による４つの試験試料を全出力の電子レンジ内で十分な時間加温して、透明な液体を生成した。各液体は、周囲温度（約２５℃）にて撹拌を行わずに冷却しておき、各試料が約１時間の間に固体マトリクスを形成する能力を観察した。観察結果を下記の表４に示す。
【００６３】
【表４】
0005537795.tif 000007
【００６４】
試料が周囲温度（約２５℃）と完全に平衡したときに、試料２乃至４は、液体を排出するような転化がほとんどまたは全く成されず、周囲温度にて固形脂肪マトリクスとして機能する能力を示した。
【００６５】
実施例４（比較例）
部分的に水素化した大豆油ショートニング（Ｓｏｙｂｅａｎ  Ｓｐｒａｙ  Ｏｉｌ、ＡＤＭ社）を、実施例２のようにパルスＮＭＲによって分析した。結果を下記の表５に示す。
【００６６】
【表５】
0005537795.tif 000008
【００６７】
本実施例の結果を実施例２の試料４と比較すると、試料４の脂質−油混合物は、周囲温度（２１℃乃至２７℃、７０°Ｆ乃至８０°Ｆ）にて、本実施例の部分的に水素化したショートニングの比較例よりも、大幅に多くのマトリクス固形物を有した。周囲温度にて、実施例２の試料４の組成物は、２２乃至３８パーセントの固形脂肪含量であったが、比較例のショートニングは１４乃至２０パーセントの固形脂肪であった。さらに、試料４はまた、体温（約３８℃、約１００°Ｆ）以上にて、類似した固形脂肪含量であった。
【００６８】
実施例５
構造化グリセロールエステル組成物を、１，３位特異リパーゼ触媒を使用して調製し、１，３−ジアシルグリセリドを含むマトリクス構築成分を形成した。下記の表６に記載される、グリセロール（Ａｌｄｒｉｃｈ  Ｃｈｅｍｉｃａｌ社）、およびオレイン酸（Ｎｕ−Ｃｈｅｋ  Ｐｒｅｐ、Ｅｌｙｓｉａｎ、ＭＮ）とステアリン酸（Ｎｕ−Ｃｈｅｋ  Ｐｒｅｐ社）との混合物を、約１５０トルおよび約５５℃で真空にし、１，３位特異的リパーゼ触媒（Ｌｉｐｏｚｙｍｅ  Ｒｍｉｍ、Ｎｏｒｏ  Ｎｏｖｏｄｉｓｋ）に晒した。この接触を約１．５乃至２．５時間保持して、１，３−ジアシルグリセロール複合物へ実質的に変換させた。ＤＡＧ組成物を、濾過、乾燥、および短経路（分子）蒸留を行うことによって触媒から分離させて未反応の脂肪酸を除去し、下記の表６に記載されるマトリクス構築成分を得た。
【００６９】
【表６】
0005537795.tif 000009
【００７０】
表６の組成物を種々のステアリン酸塩レベルに蒸留して、上記の実施例２のように、固形脂肪含量を分析した。結果を下記の表７に要約する。
【００７１】
【表７】
0005537795.tif 000010
【００７２】
実施例６
２０および２５パーセントステアリン酸塩（上述の実施例５にて説明したもの）、および、８０および７５パーセント不飽和化合物をそれぞれ有する機能性脂質組成物の固形脂肪含量を分析し、種々の従来のショートニング（Ｓｕｐｅｒ  Ｈｙｍｏ、クリームクッキーフィラー（ＡＤＭ社）、バターチップ（Ｇｏｌｄｅｎ  Ｂｒａｎｄｓ社））と比較した。脂肪組成物は、上記の実施例２のように固形脂肪含量を分析し、その結果を表８に示す。
【００７３】
【表８】
0005537795.tif 000011
【００７４】
実施例７
完全飽和の植物油から得られた約１０パーセントのパルミチン酸および約８７パーセントのステアリン酸を有するＤＡＧ組成物は、固形脂肪含量だけを調査して、大豆油に溶解した。ＤＡＧ組成物単独（１００パーセント）、および大豆油と混合したＤＡＧ組成物の固形脂肪含量を、表９に示す。
【００７５】
【表９】
0005537795.tif 000012
【００７６】
上記の表９のデータは、適当なレベルの完全飽和のＤＡＧは、機能マトリクス源を液体植物油に提供できることを示している。上記の表９に要約した全ての脂質組成物は、概して、約１００°Ｆ（約３８℃）にて約１０パーセントを超える固形脂肪含量の機能マトリクスを形成したが、これらの脂質組成物は、蝋のような口当たりのために感覚刺激的に好ましいものとならないが、一部の用途には好適なものとなり得る。
【００７７】
本方法および組成物の性質を説明するために、本願明細書において図とともに説明した部分および成分の、細目、材料、および機構の種々の変更は、添付の請求項に示された原理および趣旨の範囲内で、当業者によって行うことができる。